(57)【特許請求の範囲】
【請求項１】
第１の部材と、
第２の部材と、
を備える装置であって、
前記第１の部材は、
第１の容積の弾性材料を含むとともに、
第１の凹面と、該第１の凹面とは反対側の第１の凸面と、第１の当接面と、該第１の当接面とは反対側の第２の当接面と、第１の端面と、該第１の端面とは反対側の第２の端面とを有し、前記第１の凹面は、前記第１の端面と交わって、前記第１の当接面と前記第２の当接面との間の第１のアーク長を有する第１のアーク線を形成するとともに、前記第２の端面と交わって、前記第１の当接面と前記第２の当接面との間の第２のアーク長を有する第２のアーク線を形成し、前記第１のアーク長は、前記第２のアーク長よりも長く、前記第１の当接面又は前記第２の当接面のうちの少なくとも一方は平面であり、
前記第２の部材は、
第２の容積の前記弾性材料を含むとともに、
第２の凹面と、該第２の凹面とは反対側の第２の凸面と、第３の当接面と、該第３の当接面とは反対側の第４の当接面と、第３の端面と、該第３の端面とは反対側の第４の端面とを有し、前記第２の凹面は、前記第３の端面と交わって、前記第３の当接面と前記第４の当接面との間の第３のアーク長を有する第３のアーク線を形成するとともに、前記第４の端面と交わって、前記第３の当接面と前記第４の当接面との間の第４のアーク長を有する第４のアーク線を形成し、前記第３のアーク長は、前記第４のアーク長よりも長く、
前記第１の部材及び前記第２の部材は、前記第１の当接面及び前記第２の当接面が前記第３の当接面及び前記第４の当接面にそれぞれ整列した時に円筒状スリーブを形成し、前記第１の凹面及び前記第２の凹面は、前記第１の部材及び前記第２の部材をロックすること無しに円筒形プラットホーム上に取り付けるように前記円筒状スリーブの内面を形成することを特徴とする装置。
【請求項２】
前記弾性材料は、木、プラスチック、ゴム、ポリウレタン、アルミニウム又は鋼のうちの少なくとも１つを含む、請求項１に記載の装置。
【請求項３】
前記第１の部材及び前記第２の部材は、該第１の部材を該第２の部材に固定するロック部材を有しない、請求項１に記載の装置。
【請求項４】
前記円筒状スリーブの前記内面は円筒状の空洞を形成し、前記円筒状の空洞は、前記第１の部材の前記第１の当接面又は前記第２の当接面の少なくとも一方に対して傾斜した軸を含む、請求項１に記載の装置。
【請求項５】
前記円筒状スリーブは、少なくとも２分の１インチの均一な厚さを有する、請求項１に記載の装置。
【請求項６】
前記第２の部材は、前記第１の部材と実質的に幾何学的に同一である、請求項１に記載の装置。
【請求項７】
前記第２の部材は、前記第１の部材と幾何学的に異なる、請求項１に記載の装置。
【請求項８】
前記第１の部材の前記第１の当接面は、９０度よりも小さな第１の角度を形成するように前記第１の部材の前記第１の端面と交わり、前記第１の部材の前記第１の当接面は、９０度よりも大きな第２の角度を形成するように前記第１の部材の前記第２の端面と交わる、請求項１に記載の装置。
【請求項９】
前記第１の角度又は前記第２の角度の少なくとも一方の値は、前記弾性材料の弾性又は前記第１の部材の厚さの少なくとも一方の機能として決定され、前記第１の部材の前記厚さは、前記第１の凹面と前記第１の凸面との間の距離によって決定される、請求項８に記載の装置。
【請求項１０】
円筒形プラットホームの第１の位置に前記第１の部材を取り付け、前記第１の部材の前記第１の当接面が前記第２の部材の前記第３の当接面に一致できるように前記円筒形プラットホームの第２の位置に前記第２の部材を取り付け、前記第１の部材を前記第２の部材に向かって摺動させることによって、前記円筒状スリーブがダイカット機械の円筒形プラットホーム上に取り付けられる、請求項１に記載の装置。
【請求項１１】
ダイカット機械の円筒形プラットホームに取り付けられる円筒状スリーブであって、
第１の弾性部材と、該第１の弾性部材と実質的に同一の第２の弾性部材とを備え、前記第１の弾性部材又は前記第２の弾性部材の各々は、内面と、該内面とは反対側の外面と、第１の当接面と、該第１の当接面とは反対側の第２の当接面と、第１の端面と、該第１の端面とは反対側の第２の端面とを備え、前記第１の当接面及び前記第２の当接面は平面であり、
前記円筒状スリーブは、前記第１の弾性部材の前記第１の当接面を前記第２の弾性部材の前記第２の当接面に整列させ、前記第１の弾性部材の前記第２の当接面を前記第２の弾性部材の前記第１の当接面に整列させることによって形成され、
前記第１の弾性部材の前記内面と前記第２の弾性部材の前記内面とによって形成される前記円筒状スリーブの内面は、前記第１の弾性部材の前記第１の当接面又は前記第２の当接面の少なくとも一方に対して傾斜した軸を有する円筒状の空洞を取り囲み、
前記円筒状スリーブは、前記第１の弾性部材及び前記第２の弾性部材をロックすること無しに円筒形プラットホーム上に取り付けられることを特徴とする、円筒状スリーブ。
【請求項１２】
前記第１の弾性部材及び前記第２の弾性部材は、木、プラスチック、ゴム、ポリウレタン、アルミニウム又は鋼のうちの少なくとも１つで形成される、請求項１１に記載の円筒状スリーブ。
【請求項１３】
前記第１の弾性部材及び前記第２の弾性部材は、前記第１の弾性部材を前記第２の弾性部材に固定するロック部材を有しない、請求項１１に記載の円筒状スリーブ。
【請求項１４】
前記円筒状スリーブは、少なくとも２分の１インチの均一な厚さを有する、請求項１１に記載の円筒状スリーブ。
【請求項１５】
前記第１の弾性部材及び前記第２の弾性部材は、前記第１の弾性部材及び前記第２の弾性部材を前記円筒形プラットホームに固定するロック部材を有しない、請求項１１に記載の円筒状スリーブ。
【請求項１６】
前記第１の弾性部材の前記第１の当接面は、９０度よりも小さな第１の角度を形成するように前記第１の弾性部材の前記第１の端面と交わり、前記第１の弾性部材の前記第１の当接面は、９０度よりも大きな第２の角度を形成するように前記第１の弾性部材の前記第２の端面と交わり、前記第１の角度又は前記第２の角度の少なくとも一方の値は、前記第１の弾性部材の弾性又は前記第１の弾性部材の厚さの少なくとも一方の機能として決定され、前記第１の弾性部材の前記厚さは、前記内面と前記外面との間の距離によって決定される、請求項１１に記載の円筒状スリーブ。
【請求項１７】
前記ダイカット機械の前記円筒形プラットホームは、ダイシリンダ又はアンビルシリンダの一方である、請求項１１に記載の円筒状スリーブ。
【請求項１８】
ダイシリンダと、
アンビルシリンダと、
前記ダイシリンダと前記アンビルシリンダとの間の空隙を減少させる厚さを有する、前記ダイシリンダに取り付け可能なスリーブと、
を備えたダイカッターであって、
前記スリーブは、
第１の弾性部材と、該第１の弾性部材と実質的に同一の第２の弾性部材とを含み、前記第１の弾性部材又は前記第２の弾性部材の各々は、内面と、該内面とは反対側の外面と、第１の当接面と、該第１の当接面とは反対側の第２の当接面と、第１の端面と、該第１の端面とは反対側の第２の端面とを含み、前記第１の当接面及び前記第２の当接面は平面であり、
前記スリーブは、前記第１の弾性部材の前記第１の当接面を前記第２の弾性部材の前記第２の当接面に整列させ、前記第１の弾性部材の前記第２の当接面を前記第２の弾性部材の前記第１の当接面に整列させることによって形成され、
前記第１の弾性部材の前記内面及び前記第２の弾性部材の前記内面は、前記ダイシリンダ上に取り付けられた時に前記第１の弾性部材及び前記第２の弾性部材をロックすること無しに前記ダイシリンダに接触し、前記ダイシリンダは、前記第１の弾性部材の前記第１の当接面又は前記第２の当接面のうちの少なくとも一方に対して傾斜した軸を有することを特徴とする、ダイカッター。
【請求項１９】
前記第１の弾性部材及び前記第２の弾性部材は、木、プラスチック、ゴム、ポリウレタン、アルミニウム又は鋼のうちの少なくとも１つで形成され、前記第１の弾性部材及び前記第２の弾性部材は、該第１の弾性部材を該第２の弾性部材に固定するロック部材を有しない、請求項１８に記載のダイカッター。
【請求項２０】
ダイカット機械の円筒形プラットホームに取り付けられる円筒状スリーブであって、
第１の部材と、
第２の部材と、
を含み、
前記第１の部材は、
第１の容積の弾性部材を含むとともに、
第１の凹面と、該第１の凹面とは反対側の第１の凸面と、第１の突出部を含む第１の当接面と、該第１の当接面とは反対側の、第２の突出部を含む第２の当接面と、第１の端面と、該第１の端面とは反対側の第２端面とを有し、
前記第２の部材は、
第２の容積の前記弾性部材を含むとともに、
第２の凹面と、該第２の凹面とは反対側の第２の凸面と、前記第１の突出部を受け取る第１の凹部を含む第３の当接面と、前記第２の突出部を受け取る第２の凹部を含む、前記第１の当接面とは反対側の第２の当接面と、第３の端面と、該第３の端面とは反対側の第４の端面とを有し、
前記第１の部材及び前記第２の部材は、前記第１の部材及び前記第２の部材をロックすること無しに前記第１の突出部を前記第１の凹部内に配置し、前記第２の突出部を前記第２の凹部内に配置することによってダイカットのための前記円筒形プラットホーム上で結合されることを特徴とする、円筒状スリーブ。
【請求項２１】
前記第１の部材及び前記第２の部材は、該第１の部材及び該第２の部材をロックするロック部材を有しない、請求項２０に記載のスリーブ。
【請求項２２】
前記円筒状スリーブは、少なくとも２分の１インチの均一な厚さを有する、請求項２０に記載のスリーブ。
【発明の詳細な説明】
【技術分野】
【０００１】
〔関連出願との相互参照〕
本出願は、２０１５年２月１２日に出願された「回転シリンダのスナップ式スリーブ（ＲＯＴＡＲＹ  ＣＹＬＩＮＤＥＲ  ＳＮＡＰ−ＯＮ  ＳＬＥＥＶＥ）」という名称の米国仮特許出願第６２／１１５，３１０号明細書に基づく利益を主張するものであり、この文献の内容はその全体が引用により本明細書に組み入れられる。
【０００２】
本開示は、スリーブのセグメントを円筒形プラットホーム上に固定するロック機構を必要とせずに円筒形プラットホーム上に取り付けることができるセグメントを含むスリーブに関する。
【背景技術】
【０００３】
多くの場合、円筒状スリーブは、シリンダ上に取り付けることが必要となり得るセグメント（部材とも呼ばれる）で構成される。例えば、ダイシリンダ及びアンビルシリンダを含むダイカッターに関しては、スリーブのセグメントをダイシリンダに固定する磁気ストリップ又はロックピンなどのロック機構を介してダイシリンダ（切断ブレードを取り付けるプラットホーム）上にスリーブを取り付けることができる。
【発明の概要】
【発明が解決しようとする課題】
【０００４】
スリーブにロック機構が加わると、スリーブを形成するコスト、及びダイシリンダ上にスリーブを取り付ける時間が増加する。
【課題を解決するための手段】
【０００５】
ダイカッターは、例えばプラットホーム上に配置されたシートなどの加工物をいくつかの所定の形状に切断できる機械である。プラットホームは、円筒形のプラットホーム（例えば、シリンダ）又は平坦なプラットホーム（例えば、平台）とすることができる。加工物は、段ボール紙、プラスチックなどを含むあらゆる好適な材料で形成されたシートとすることができる。例えば、ロータリーダイカッターは、切断ブレードが取り付けられた第１の回転シリンダと、切断対象のシートを支持する支持プラットホームを提供する第２の回転シリンダとを含むことができる。この例では、第１のシリンダがダイシリンダと呼ばれ、第２のシリンダがアンビルシリンダと呼ばれる。いくつかの実施形態では、ダイシリンダとアンビルシリンダを、アンビルシリンダの空間的上方に（又は下方に）ダイシリンダが位置するように配置することができる。ダイシリンダの最下部の輪郭線とアンビルシリンダの最上部の輪郭線との間には、空隙が存在することができる。１又は２以上のモータが、ダイシリンダとアンビルシリンダを独立して回転させ、ダイシリンダとアンビルシリンダとの間の空隙を通じて、回転運動とアンビルシリンダの表面に対する摩擦力とによって１又は２以上のシート状加工物の供給を可能にすることができる。ダイシリンダ上に取り付けられる切断要素（例えば、ブレード又はナイフ）は、ダイシリンダの回転運動によって加工物を所定の形状に切断するようにプログラムすることができる。
【０００６】
ダイシリンダ及びアンビルシリンダは、いずれも鋼などの硬質材料で形成することができる。切断過程中には、シリンダ上に取り付けられたブレードが加工物を断ち切る必要がある。ブレードがアンビルシリンダの硬い表面に接触してブレード及びアンビルシリンダの表面を傷付けるのを防ぐために、アンビルシリンダ上には、ブレード先端部とアンビルシリンダの表面との間の緩衝層として機能する（アンビルカバーと呼ばれる）保護層を取り付けることができる。動作中、ブレードは、軟かいアンビルカバーに接触して食い込みながら、アンビルシリンダの硬い表面との直接的な接触を避けることができる。
【０００７】
アンビルカバーは、アンビルシリンダなどの円筒形プラットホーム上に取り付けられて、ダイカット中にアンビルシリンダが切断ブレードに直接接触しないように保護することができる保護層である。アンビルカバーは、例えば「ウレタン」などの耐久性のある軟質材料で形成することができる。典型的なアンビルシリンダは、直径と、軸方向に沿った約８０〜１９０インチの幅とを有することができるので、アンビルカバーは、通常は約１０〜２０インチ幅の切片の形で取り付けられる。本開示では、「アンビルカバー」という用語と「アンビル片」という用語を同義的に使用することができる。アンビルシリンダは、アンビルシリンダの表面を横切る水平なロックチャネルを含むことができる。ロックチャネルは、アンビルシリンダの全幅にわたって、幅が約１インチ、深さが約０．５インチの溝を含むことができる。各アンビルカバーは、アンビルカバーをアンビルシリンダに固定するために、雌ロック部材と、溝内で雌ロック部材内に結合できる雄ロック部材とを含むことができる。
【０００８】
アンビルカバーを取り付けるには、通常は人間のオペレータが、ボルト又は圧迫力用いてロックチャネル内に雌ロック部材を固定した後に、アンビルシリンダの表面にアンビルカバーを巻き付ける。アンビルシリンダにアンビルカバーを巻き付けた後に、アンビルカバーの雄ロック部材に力を加える。通常、この作業は、オペレータがハンマー又は木槌を用いてアンビルカバーの雄ロック部材をロックチャネル内の雌ロック部材に打ち込むことによって行われる。典型的なアンビルシリンダは、アンビルシリンダの全幅を保護するのに約１０〜１２片のアンビルカバーを必要とし得る。
【０００９】
また、「アンビルカバー回転」として知られている工程中には、偏摩耗に起因して頻繁にアンビルカバーを取り外し、交換して取り付け直す。アンビルカバーの回転は、より滑らかなアンビルカバー表面を維持してアンビルカバーの耐用寿命を延ばすように、表面上の摩耗を分散させるよう設計される。アンビルシリンダにアンビルカバーを巻き付けることは、限られたアクセス空間、並びに、例えば様々な物理的構造（例えば、バー及びシャフト）などの物理的障壁及び障害に起因して困難な作業になり得る。また、アンビルカバーは、取り付け工程を完了するのにハンマー又は木槌からの相当な力が必要であるため、取り付けが困難になり得る。さらに、従来のアンビルカバー取り付け工程では、オペレータがアンビルシリンダとダイシリンダとの間に自分の手を入れることが必要になる場合もあり、これは職業上の危険となり得る。
【００１０】
アンビルシリンダ上へのアンビルカバーの取り付けに役立つように、ダイカッターのダイシリンダ上に一定厚のスリーブを取り付けて、ダイシリンダとアンビルシリンダとの間の隙間を減少させることができる。スリーブは、ダイカッターのダイシリンダに巻き付けることができる。このスリーブの厚みにより、ダイシリンダとアンビルシリンダとの間の空隙を、アンビルシリンダ上に取り付けるアンビルカバーの厚み以下のレベルに減少させることができる。スリーブは、ダイシリンダに巻き付いてダイシリンダの湾曲面を完全に覆うことができる。
【００１１】
ダイシリンダ上にスリーブを取り付けると、ダイシリンダが、アンビルカバーをアンビルシリンダ上に押し付ける延し棒として機能することができる。アンビルシリンダ上にアンビルカバーを取り付けるには、最初にオペレータが、アンビルカバーの雌ロック部材をアンビルシリンダのロックチャネル内に固定することができる。その後、１又は２以上のモータが駆動力を供給して、ダイシリンダとアンビルシリンダの両方を逆の回転方向に回転させることができる。
【００１２】
ダイシリンダとアンビルシリンダとの間の空隙が狭くなっていることにより、ダイシリンダ上のスリーブがアンビルカバーの表面に圧力を加えることができる。従って、スリーブは、ダイシリンダの回転を通じてアンビルカバーの表面に持続的な力を加えることができる。スリーブによって加えられる持続的な力は、アンビルカバーをアンビルシリンダにきつく巻き付けることができる。アンビルシリンダが（例えば、アンビルカバーの雌ロック部材が固定されているロックチャネルから開始して）完全に回転すると、雄ロック部材がロックチャネルに到達することができる。ダイシリンダとアンビルシリンダの両方が回転し続けると、スリーブが雄ロック部材をロックチャネル内に押し込んで雌ロック部材との結合を可能にする。このようにして、雄ロック部材を手動でロックチャネル内に打ち込む必要なく、アンビルカバーをアンビルシリンダ上に取り付けることができる。
【００１３】
ロータリーダイカット工程においてシリンダ（例えば、ダイシリンダ及びアンビルシリンダ）を使用すると、スリーブ、ダイ、印刷版、カバーなどの工具を半径方向の構成で取り付けることが必要になり得る。通常は、シリンダに様々なアイテム（例えば、スリーブ）を固定するために、ボルト、クランプ、磁石及びロック部分などのロック機構が使用される。アイテムによっては、ねじ穴又は長穴などのシリンダ上の特定の特徴を覆って取り付けられるものもある。しかしながら、これらのシリンダ上にアイテムを取り付けるロック機構は高価な場合があり、アイテムを取り付けて動作させるには、工具がシリンダ上を滑って動くのを制限する必要があるので長時間を要する場合もある。
【００１４】
本開示の実施形態は、シリンダ上に３６０°巻き付ける必要がある様々な工具の取り付け及び取り外しを容易にして、工具に関連する別個のロック機構の必要性を排除する。代わりに、実施形態は、シリンダ上での回転及び摺動による工具の取り付けを可能にする。従って、本開示の実施形態は、工具に柔軟な取り付け可能位置を提供する。
【００１５】
本開示の実施形態は、円筒形プラットホーム（例えば、ダイカッターのダイシリンダ又はアンビルシリンダ）上における素早く容易な工具（例えば、スリーブ）の取り付けを可能にする。本開示において説明するような取り付けは、道具を用いた取り付けよりも安全である。工具は、円筒形プラットホームの３６０°の半径方向断面全体を覆うことができ、従って円筒形プラットホームの全長にわたって自由に摺動することができる。この取り付け工具は、動作中に適所に留まり、例えば円筒形プラットホーム（例えば、ダイシリンダ）に対する１リニアインチ当たり２００ポンドの圧迫力に耐えることができる。本開示の実施形態は、工具上のロック機構の必要性を排除することにより、工具のコスト及び工具の取り付け時間を削減する。添付図面の図に、限定ではなく一例として本開示を示す。
【図面の簡単な説明】
【００１６】
【図１】本開示の実施形態によるダイカッターを示す図である。
【図２】本開示の実施形態による、アンビルシリンダを保護するために使用されるアンビルカバーを示す図である。
【図３Ａ】本開示の実施形態による、アンビルシリンダ上にアンビルカバーを取り付ける例示的な工程を示す図である。
【図３Ｂ】本開示の実施形態による、アンビルシリンダ上にアンビルカバーを取り付ける例示的な工程を示す図である。
【図３Ｃ】本開示の実施形態による、アンビルシリンダ上にアンビルカバーを取り付ける例示的な工程を示す図である。
【図３Ｄ】本開示の実施形態による、アンビルシリンダ上にアンビルカバーを取り付ける例示的な工程を示す図である。
【図３Ｅ】本開示の実施形態による、アンビルシリンダ上にアンビルカバーを取り付ける例示的な工程を示す図である。
【図４Ａ】本開示の実施形態による、円筒形プラットホーム上に取り付けることができるスリーブを示す図である。
【図４Ｂ】本開示の実施形態による、円筒形プラットホーム上に取り付けることができるスリーブを示す図である。
【図４Ｃ】本開示の実施形態による、円筒形プラットホーム上に取り付けることができるスリーブを示す図である。
【図４Ｄ】本開示の実施形態による、円筒形プラットホーム上に取り付けることができるスリーブを示す図である。
【図４Ｅ】本開示の実施形態による、円筒形プラットホーム上に取り付けることができるスリーブを示す図である。
【図５Ａ】本開示の他の実施形態によるスリーブを示す図である。
【図５Ｂ】本開示の他の実施形態によるスリーブを示す図である。
【図５Ｃ】本開示の他の実施形態によるスリーブを示す図である。
【図６】本開示の実施形態による、アンビルカバーの取り付け方法を示す図である。
【発明を実施するための形態】
【００１７】
以下の節では、ダイカッターのダイシリンダ上にスリーブを取り付けるという状況において、本開示の実施形態を一例として開示する。しかしながら、本開示の実施形態は、円筒形プラットホーム上に取り付け可能なあらゆる好適な工具に適用可能であると理解される。
【００１８】
図１に、本開示の実施形態によるダイカッター１００を示す。図１に示すように、ダイカッター１００は、ダイシリンダ１０２と、アンビルシリンダ１０４と、ダイシリンダ１０２上に取り付け可能なスリーブ１１６とを含むことができる。ダイシリンダ１０２及びアンビルシリンダ１０４は、十分な硬度を与えるいずれかの好適な材料（例えば、鋼）で形成することができ、スリーブ１１６は、ダイシリンダ１０２及びアンビルシリンダ１０４よりも相対的に柔らかいいずれかの好適な材料（例えば、木、プラスチック、ゴム）で形成することができる。スリーブ１１６は、ダイシリンダ１０６上に取り付けて、アンビルシリンダ１０４上にアンビルカバー（図示せず）を取り付けるために使用することができ、切断動作中にはダイシリンダ１０２から取り外すことができる。
【００１９】
ダイシリンダ１０２及びアンビルシリンダ１０４の湾曲した外面は、これらのそれぞれの軸と並行して回転する線の痕跡として形成されたものと考えることができる。従って、ダイシリンダ１０２又はアンビルシリンダ１０４の各々は、シリンダ１０２、１０４のそれぞれの中心を通るそれぞれの軸１０６、１０８を含むことができる。ある実施形態では、ダイシリンダ１０２及びアンビルシリンダ１０４の軸１０６、１０８が、互いに実質的に平行であるとともに、地面に対しても実質的に平行である。従って、ダイシリンダ１０２及びアンビルシリンダ１０４は、実質的に水平位置にある。Ｒｄ及びＲａが、それぞれダイシリンダ１０２及びアンビルシリンダ１０４の半径を表し、Ｄが、ダイシリンダ１０２の軸１０６とアンビルシリンダ１０４の軸１０８との間の距離（すなわち、ダイシリンダの軸上のある地点からアンビルシリンダの軸までの距離）を表すとする。ダイシリンダ１０２とアンビルシリンダ１０４との間の空隙（Ｇ）は、Ｇ＝Ｄ−（Ｒｄ＋Ｒａ）として計算することができる。
【００２０】
空隙（Ｇ）は、アンビルカバーの厚さ（Ｔａ）と、ダイカッター１００によって切断すべき加工物（例えば、板）の厚さ（Ｔｂ）の両方のための余裕をもたらすので、一般にＧはＴａ＋Ｔｂ以上である。図１には、アンビルカバー及び加工物を示していない。
【００２１】
１つの実施形態では、スリーブ１１６が、ダイシリンダ１０２とアンビルシリンダ１０４との間の空隙（Ｇ）を（例えば、Ｇ−Ｔｓの式によって表される）一定量だけ減少させる厚さ（Ｔｓ）を有することができる。１つの実施形態では、Ｔｓが少なくとも２分の１インチである。減少した隙間（Ｇ−Ｔｓ）は、アンビルカバーの厚さ（Ｔａ）よりも小さくなることができる。
【００２２】
ダイカッター１００のダイシリンダ１０２及びアンビルシリンダ１０４は、１又は２以上のモータ１１０によって、シリンダ１０２、１０４を逆の回転方向に回転させる１又は２以上の歯車１１２を通じて駆動される。例えば、ダイシリンダ１０２が反時計回りに回転駆動する場合、アンビルシリンダ１０４は時計回りに回転駆動する。このダイシリンダ１０２とアンビルシリンダ１０４との間の逆の回転運動により、ダイカット中にダイシリンダ１０２とアンビルシリンダ１０４との間の隙間を通じて加工物（例えば、板）が水平に供給されるようになる。
【００２３】
ダイシリンダ１０２は、切断要素（例えば、ブレード）を取り付けることができる複数の取り付け点１１４を含むことができる。アンビルシリンダ１０４は、アンビルカバーのロック部品を受け取るためのロックチャネル１１８を含むことができる。例えば、ロックチャネル１１８は、雄ロック端部と、レセプタ１１８に結合されたアンビルカバーの雌ロック端部とを受け取ることができる。ロックチャネル１１８の内部で雄ロック端部と雌ロック端部とが結合されると、アンビルカバーがアンビルシリンダ１０４にしっかりと取り付けられる。１又は２以上のアンビルカバーは、アンビルシリンダ１０４の全幅に沿って取り付けられてアンビルシリンダ１０４の表面を完全に又は部分的に覆い、ダイシリンダ１０２上に取り付けられたナイフ又は切断要素がアンビルシリンダ１０４の表面に接触するのを防ぐことができる。
【００２４】
図２に、アンビルシリンダを覆って、切断される加工物の支持プラットホームを提供するために使用できる例示的なアンビルカバー２００を示す。ある実施形態では、アンビルカバー２００が、ダイシリンダ１０２上に取り付けられた切断要素の少なくとも一部に接触して吸収するように構成される。アンビルカバー２００は、ウレタン又はあらゆる好適な可撓性及び軟質性の材料で形成することができる。アンビルカバー２００の形状は、長さ（Ｌａ）及び幅（Ｗａ）を有する矩形とすることができる。ある実施形態では、アンビルカバー２００の長さ（Ｌａ）が、アンビルシリンダ１０４の円周に一致することができる。複数のアンビルカバーをアンビルシリンダ１０４上に横並びに取り付けると、アンビルカバーの組み合わせは、アンビルシリンダ面全体の全部又は一部を覆うことができる。各アンビルカバー２００は、いずれもアンビルシリンダ１０４上のロックチャネル１０８内に収まってアンビルカバー２００をアンビルシリンダ上に固定するように構成された雌ロック端部２０２及び雄ロック端部２０４を含む。
【００２５】
図３Ａ〜図３Ｅに、本開示の実施形態による、ダイシリンダ１０２上に取り付けられたスリーブ１１６を用いてアンビルカバーを取り付ける例示的な方法を示す。図３Ａに示すように、ダイシリンダ１０２上に（厚さ（Ｔｓ）を有する）スリーブ１１６を取り付けることができる。スリーブ１１６の厚さ（Ｔｓ）は、ダイシリンダ１０２とアンビルシリンダ１０４との間の隙間（Ｇ）の一部を満たすことができる。ある実施形態では、ダイシリンダ１０２上にスリーブ１１６を取り付けた後に、ダイシリンダ１０２とアンビルシリンダ１０４との間の隙間（Ｇ）がスリーブ１１６の厚さ（Ｔｓ）だけ減少し、減少した空隙が、アンビルシリンダ１０４上に取り付けるべきアンビルカバー２００の厚さ（Ｔｓ）以下であることができる。このように、ダイシリンダ１０２及びアンビルシリンダ１０４を回転させる（又は割り出しする）ことによってアンビルカバー２００を取り付けることができる。
【００２６】
図３Ａに示すように、アンビルシリンダ１０４のロックチャネル１１８内に、アンビルカバー２００の雌ロック端部２０２を固定することができる。例えば、雌ロック端部２０２は、ボルト締めによってロックチャネル内に固定することができる。或いは、雌ロック端部２０２は、圧迫することによってロックチャネル内に固定することもできる。アンビルカバー２００の雌ロック端部２０２をロックチャネル内に固定した後には、ダイシリンダ１０２及びアンビルシリンダ１０４を逆の回転方向に回転させることができる。図３Ａに示す例では、ダイシリンダ１０２が反時計回りに回転し、アンビルシリンダ１０４が時計回りに回転する。或いは、アンビルシリンダ１０４のみが時計回りに回転し、ダイシリンダ１０２が静止する。ダイシリンダ上のスリーブ１１６は、回転しながらアンビルカバー２００上に力（例えば、加圧力又は締め付け力）を加えて、アンビルシリンダ１０４にアンビルカバー２００を巻き付けることができる。ある実施形態では、ダイシリンダ１０２の回転速度が、アンビルカバー２００の表面に沿った伸びを低減又は排除するように、アンビルシリンダ１０４の回転速度に一致することができる。
【００２７】
図３Ｂ〜図３Ｅには、ダイシリンダ１０２及びアンビルシリンダ１０４が回転してアンビルシリンダ１０４にアンビルカバー２００が巻き付けられる工程の様々な中間点を示す。上述したように、アンビルカバー２００の長さは、アンビルシリンダ１０４の円周と実質的に一致するので、雌ロック端部２０２が固定されているロックチャネル内にアンビルシリンダ１０４の雄ロック端部２０４をスリーブ１１６によって押し込むことができる。図３Ｆに示すように、雌ロック端部２０２が固定されているロックチャネルからダイシリンダ１０２及びアンビルシリンダ１０４が３６０°回転した後に、ダイシリンダ１０２及びアンビルシリンダ１０４の両方の回転によって生じる加圧力によって雄ロック端部２０４をロックチャネル内に押し込むことができる。このように、雄ロック端部２０４をロックチャネル内に打ち込むことなどの人間による手動力を必要とせずに、アンビルシリンダ１０４及びダイシリンダ１０２の回転運動を利用してアンビルカバー２００を取り付けることができる。
【００２８】
ある実施形態では、スリーブ１１６を複数の湾曲セグメントで構成することができる。各セグメントは、ダイシリンダの曲面の全長又は一部を覆うことができる。スリーブセグメントは、ポリウレタン、木、プラスチック、ゴム、アルミニウム、鋼、又はその他の固体材料を含むあらゆる好適な材料で形成することができる。
【００２９】
図４Ａ〜図４Ｃに、本開示の実施形態によるスリーブセグメントを用いて形成されるスリーブの様々な図を示す。図４Ａは、スリーブ４００の斜視図であり、図４Ｃは、円筒状スリーブ４００の中心方向を見た図である。図４Ａに示すように、２つのセグメント（又は部材）４０２Ａ、４０２Ｂを含む円筒状スリーブ（又はリング円筒層）の形状にスリーブ４００を形成することができる。２つのセグメント４０２Ａ、４０２Ｂの当接面を整列及び接触させることによって互いに結合させると、２つのセグメント４０２Ａ、４０２Ｂは、ダイシリンダ上に取り付けることができる中空シリンダを形成する。スリーブ４００の中空部分は、ダイシリンダの体積に一致する容積を含むことができる。１つの実施形態では、中空シリンダが、長手方向軸４３０を有することができる。ある実施形態では、スリーブセグメント４０２Ａ、４０２Ｂの各々が、実質的に均一かつ実質的に等しい厚さ（例えば、少なくとも２分の１インチ）を有する。スリーブセグメント４０２、４０４によって形成されるスリーブ４００は、スリーブ４００をダイシリンダに巻き付けることができるように、ダイシリンダの直径と実質的に同じ内径４１２を有する。
【００３０】
図４Ａに示すように、スリーブ４００は、外側凸面４０８及び内側凹面４１０を含むことができる。スリーブ４００は、（図４Ａに示すような）円筒状リング構成にある場合、直径４１２を有する円筒状の空洞を含む。この内面４１０によって取り囲まれる円筒状の空洞は、ダイシリンダが占める物理的空間にほぼ一致する。従って、スリーブ４００をダイシリンダ上に取り付けることができる。
【００３１】
１つの実施形態では、スリーブ４００が、セグメント４０２Ａ、４０２Ｂの端面で構成される２つの端面間に一定の長さを有することができる。図４Ａに示すように、セグメント４０２Ａは、対向する２つの端面４０４Ａ、４０６Ａを含むことができ、セグメント４０２Ｂは、対向する２つの端面４０４Ｂ、４０６Ｂを含むことができる。従って、スリーブ４００は、セグメント端面４０４Ａ、４０６Ｂで構成される第１の端面（完全な円環）と、４０４Ｂ、４０６Ａで構成される第２の端面（完全な円環）とを含むことができる。
【００３２】
ある実施形態では、セグメントの端面４０４Ａ、４０４Ｂ、４０６Ａ、４０６Ｂが、それぞれアーク長を有することができる。セグメントの端面のアーク長は、セグメントの端面（すなわち、４０４Ａ、４０４Ｂ、４０６Ａ又は４０６Ｂ）が内面４１０と交わることによって形成される湾曲した縁部線の長さとして定義される。ある実施形態では、第１のセグメント４０２Ａの端面４０４Ａのアーク長が第１のセグメント４０２Ａの第２の端面４０６Ａ又は第２のセグメント４０２Ｂの第２の端面４０６Ｂのアーク長よりも長くなるように、そして、第１のセグメント４０２Ａの第２の端面４０４Ｂのアーク長が第２のセグメント４０２Ｂの第１の端面４０６Ａのアーク長よりも短くなるように、セグメント４０２Ａ、４０２Ｂが構成される。ある実施形態では、第１のセグメント４０２Ａの第１の端面４０４Ａのアーク長が、スリーブ４００によって取り囲まれた円筒状の空洞の円周長さの半分よりも大きく、第２のセグメント４０２Ｂの第１の端面４０６Ａのアーク長が、スリーブ４００によって取り囲まれた円筒状の空洞の円周長さの半分よりも大きい。セグメント４０２Ａ、４０２Ｂの各々は、ダイシリンダの円周の半分よりも大きなアーク縁部を含むので、各セグメントは、縁部の端部間にダイシリンダの直径よりも小さな隙間を含む。このわずかな縁部の隙間は、セグメント４０２Ａ、４０２Ｂをダイシリンダ上に取り付けた時に、たとえダイシリンダが回転した場合でもセグメント４０２Ａ、４０２Ｂがダイシリンダから離れ落ちるのを防ぐ。従って、各セグメント４０２Ａ、４０２Ｂは、セグメント４０２Ａ、４０２Ｂをダイシリンダに固定するさらなるロック機構を必要とせずにダイシリンダ上に取り付けることができる。
【００３３】
図４Ｂは、本開示による１つのセグメント４０２Ｂの斜視図である。図４Ｂに示すように、セグメント４０２Ｂ（及び、同様に４０２Ａ）は、（木、プラスチック、ゴム、ポリウレタン、アルミニウム又は鋼などの）一定体積の弾性材料を有する円筒状スリーブの一部である。セグメント４０２Ｂは、凹状内面４１８Ａと、凹状内面４１８Ａの反対側の凸状外面４１８Ｂと、２つの対向する当接面４１４Ｃ、４１４Ｄと、２つの対向する端面４０４Ｂ、４０６Ｂとを含む６つの表面を含むことができる。凹状内面４１８Ａは、端面４２２Ａと交わって、当接面４１４Ｃ、４１４Ｄ間に第１のアーク長を有するアーク縁部線４２４Ａを形成し、端面４２２Ｂと交わって、当接面４１４Ｃ、４１４Ｄ間に第２のアーク長を有するアーク縁部線４２４Ｂを形成することができる。１つの実施形態では、第１のアーク長が、第２のアーク長よりも長い。すなわち、アーク線４２４Ａは半円よりも長く、アーク線４２４Ｂは半円よりも短い。１つの実施形態では、当接面４１４Ａ、４１４Ｄが、端面４０６Ｂに対して鋭角で形成された平面であることにより、２つの円筒状スリーブセグメント４０２Ａ、４０２Ｂによって取り囲まれた中空シリンダの軸４３０が、当接面４１４Ｃ、４１４Ｄに対して傾斜するようになる。
【００３４】
図４Ｃは、本開示の実施形態による、図４Ａに示す方向４２０から見たスリーブ４００の図である。図４Ｃに示すように、セグメント４０４Ｂの第２のアーク縁部４２４Ｂは、セグメント４０２Ｂの第１のアーク縁部４２４Ａのアーク長よりも短いアーク長を有することができる。
【００３５】
スリーブセグメント４０２Ａ、４０２Ｂは、弾性材料で形成され、円筒状リング４００のカーシブな（ｃｕｒｓｉｖｅ）セグメントである。さらなる例示として、図４Ｄは、本開示の実施形態による平坦なセグメント４０２Ａ、４０２Ｂの平面図である。この平坦なセグメントの平面図は、セグメント４０２Ａ、４０２Ｂの縁部間の幾何学的関係を示すものであるが、セグメント４０２Ａ、４０２Ｂは、通常は円筒形である。図４Ｄに示すように、各セグメント４０２Ａ、４０２Ｂは、長いアーク端面４０４Ａ、４０６Ａと、短いアーク端面４０４Ｂ、４０６Ｂとを含む。さらに、各セグメント４０２Ａ、４０２Ｂは、円筒状スリーブ４００を形成する２つのセグメント間の接続面である当接面４１４Ａ〜４１４Ｄを含むことができる。１つの実施形態では、当接面４１４Ａ〜４１４Ｄが、図４Ｄに示す平面である。平面４１４Ａ〜４１４Ｄは、対一致（ｐａｉｒｗｉｓｅ  ｍａｔｃｈ）を形成することができる。例えば、平面４１４Ａは、実質的に平面４１４Ｄに一致し（又は平面４１４Ｄと同一であり）、平面４１４Ｂは、実質的に平面４１４Ｃに一致する（又は平面４１４Ｃと同一である）。他の実施形態では、２つのセグメント４０２Ａ、４０２Ｂを共に接続して円筒状スリーブ４００を形成する限り、接続面４１４Ａ〜４１４Ｄはあらゆる好適な幾何学的形状を取ることができる。例えば、図４Ｅに、円筒状スリーブ４００を形成する対補完（ｐａｉｒｗｉｓｅ  ｃｏｍｐｌｅｍｅｎｔａｒｙ）である一連の段階状の接続面４１４Ａ’〜４１４Ｄ’を示す。
【００３６】
１つの実施形態では、セグメント４０２Ａ、４０２Ｂが、同じモジュールを用いて製造できる実質的に同一の要素である。別の実施形態では、セグメント４０２Ａ、４０２Ｂが、異なるけれども相補的な要素である。
【００３７】
１つの実施形態では、スリーブ４００の内径４１２が、スリーブ４００を取り付ける円筒形プラットホームの直径よりも大きくなるように選択される。例えば、１つの実施形態では、スリーブ４００の内径４１２を、円筒形プラットホームの直径よりも約０．０１インチ大きくすることができる。従って、円筒形プラットホームの直径が１．７１インチの場合には、内径４１２を約１．７２インチとすることができる。この内径４１２と円筒形プラットホームとの間のわずかな差が、スリーブ４００の内面４１０とスリーブ４００を取り付ける円筒形プラットホームとの間の表面同士の接触を可能にする。表面結合に起因する摩擦力により、追加のロック機構を必要とせずにスリーブ４００のセグメントを円筒形プラットホーム上に取り付けることができる。
【００３８】
１つの実施形態では、当接面４１４Ａ〜４１４Ｄが、端面４０４Ａ、４０６Ａと指定角度４１６Ａ〜４１６Ｄで交わることができる。１つの実施形態では、この角度を一定範囲の角度から選択することができる。１つの実施形態では、この角度を約５°〜８５°とすることができる。別の実施形態では、この範囲が４５°〜７５°の角度を含むことができる。１つの実施形態では、セグメント４０２Ａ、４０２Ｂの製造を容易にするために、角度４１６Ａ〜４１６Ｄが同じである。他の実施形態では、利用可能な原料の形状に適合するように、角度４１６Ａ〜４１６Ｄを異ならせることができる。
【００３９】
１つの実施形態では、角度４１６Ａ〜４１６Ｄが、スリーブ４００を形成するために使用する材料の機能として決定される。例えば、角度４１６Ａ〜４１６Ｄは、スリーブ材料の可撓性（又は剛性）の機能として選択することができる。１つの実施形態では、角度４１６Ａ〜４１６Ｄが材料の可撓性に比例し、すなわち可撓性の低い材料では小さな角度にし、可撓性の高い材料では大きな角度にすることができる。１つの実施形態では、角度４１６Ａ〜４１６Ｄを７２度になるように選択することができる。
【００４０】
１つの実施形態では、角度４１６Ａ〜４１６Ｄが、スリーブ４００を円筒形プラットホーム上にスナップ嵌めするのに必要な力（例えば、表面同士の摩擦力、スリーブ材料の内部引張力）の量によって決定される。１つの実施形態では、スリーブ４００の設計が、容易な取り付けを可能にするとともに、スリーブ４００のセグメントを適所にスナップ嵌め又は別様に固定した時点でプラットホーム上に固定されたままにする。１つの実施形態では、鋼及びアルミニウムなどの高弾性係数を有する材料で形成されたスリーブセグメントが、低弾性係数を有する材料で形成されたスリーブセグメントの角度よりも小さな角度４１６Ａ〜４１６Ｄを含むことができる。１つの実施形態では、スリーブ４００の厚さも、スリーブを膨張させて偏向させるのに必要な力に影響を与えるという理由で、角度４１６Ａ〜４１６Ｄが、スリーブセグメントの厚さにも従って決定される。スリーブセグメント４０２Ａ、４０２Ｂは、弾性係数が高いことにより、下にある円筒形プラットホーム上にロック機構を使用せずに固定することができる。さらに、実施形態によれば、スリーブセグメント４０２Ａ、４０２Ｂを互いに固定する必要はない。
【００４１】
角度付きのセグメント４０２Ａ、４０２Ｂは、いずれもセグメントの切り開かれた側をダイシリンダ上に押し付けることによって取り付けることができる。１つの実施形態では、セグメント４０２Ａのアーク長の方がダイシリンダの円周の半分よりも長いので、セグメント４０２Ａの長い端面４０４Ａをスナップ嵌めして適所に保持することができる。同様に、セグメント４０２Ｂも、鏡像の形でダイシリンダ上にスナップ嵌めすることができる。両セグメント４０２Ａ、４０２Ｂは、接触当接面に沿って滑らせて互いに接続するとシリンダを半径方向に覆い、外力を加えない限り外れ落ちることはない。１つの実施形態では、セグメント４０２Ａをロック機構によってセグメント４０２Ｂに固定する必要がない。ダイシリンダ上でセグメント４０２Ａ、４０２Ｂを組み合わせると、円筒状スリーブ４００が形成される。
【００４２】
スリーブ４００のセグメント４０２Ａ、４０２Ｂは、取り付け中及び取り付け後にダイシリンダ上の特定の位置にロックされないので、シリンダ上で自由に摺動及び回転することができる。セグメント４０２Ａ、４０２Ｂの摺動及び回転の容易さは、円筒形プラットホーム上のスリーブ４００の位置の変更を可能にする。
【００４３】
他の実施形態では、各セグメントに含まれるアーク長の一部がダイシリンダの円周の半分よりも長く、セグメントを組み合わせてスリーブを形成できる限り、スリーブのセグメントを他の好適な形状とすることもできる。図５Ａは、本開示の別の実施形態による平坦なスリーブ５００の平面図である。図５Ａに示すように、スリーブ５００は、第１のセグメント５０２Ａ及び第２のセグメント５０２Ｂを含む。１つの実施形態では、第１のセグメント５０２Ａが突出部５０４Ａ、５０４Ｂを含み、第２のセグメント５０２Ｂが、これに対応して第１のセグメント５０２Ａの突出部５０４Ａ、５０４Ｂを受け取る凹部５０６Ａ、５０６Ｂを含むように成形される。同じ実施形態では、第２のセグメント５０２Ｂも突出部５１０Ａ〜５１０Ｄを含み、第１のセグメント５０２Ａも、これに対応して第２のセグメント５０２Ｂの突出部５１０Ａ〜５１０Ｄを受け取る凹部５０８Ａ〜５０８Ｄを含むように成形される。１つの実施形態では、セグメント５０２Ａの突出部５０４Ａの縁部と突出部５０４Ｂの縁部との間のアーク長５１２Ａが、ダイシリンダの円周の半分よりも長く、突出部５１０Ａ（又は５１０Ｂ）の縁部と突出部５１０Ｃ（又は５１０Ｄ）の縁部との間のアーク長５１２Ｂも、ダイシリンダの円周の半分よりも長い。
【００４４】
図５Ｂは、本開示の実施形態によるスリーブ５００の斜視図である。セグメント５０２Ａ、５０２Ｂは、図５Ｂに示すようにダイシリンダ上に巻き付けることができる。セグメント５０２Ａ、５０２Ｂは、それぞれの１又は２以上の部分のアーク長がダイシリンダの円周の半分よりも長いので、ロック機構を使用する必要なくダイシリンダ上に取り付けることができる。
【００４５】
他の実施形態では、スリーブの各セグメントが複数の突出部を含み、対応する複数の凹部を含むように成形することができる。図５Ｃは、本開示の実施形態による平坦なスリーブ５１４の平面図である。図５Ｃに示すように、スリーブ５１４は、セグメント５１２Ａ、５１２Ｂを含むことができる。各セグメント５１２Ａ、５１２Ｂは、複数の突出部と、相補的なセグメントからの突出部を受け取る凹部とを含むことができる。１つの実施形態では、各セグメントが、最大アーク長に関連することができる。セグメントの最大アーク長は、セグメントの第１の側面上の突出部の縁部と、セグメントの第２の側面上の突出部の縁部との間の最も長いアーク長である。１つの実施形態では、各セグメントの最大アーク長が、これらのセグメントを取り付ける円筒形プラットホームの円周の半分よりも長い。
【００４６】
図６に、本開示の実施形態による、ダイシリンダ上に取り付けたスリーブを用いてアンビルシリンダ上にアンビルカバーを取り付ける例示的な工程６００を示す。上述したように、ダイカッターは、ダイシリンダ及びアンビルシリンダを含むことができる。開始時には、ダイシリンダ上に切断ブレードが取り付けられていない。６０２において、図４Ａ〜図４Ｄで上述したような２つのセグメントを含むスリーブをダイシリンダ上に取り付けることができる。例えば、第１のセグメントをダイシリンダ上の第１の位置に固定し又は取り付けることができ、その後に第２のセグメントを第２の位置に固定し又は取り付けることができる。スリーブセグメントは、ダイシリンダ上に取り付けた時点で互いの方に回転させて摺動し、ダイシリンダの全長又は一部を覆うことができる円筒状リングスリーブを形成することができる。スリーブの厚さにより、（スリーブを取り付けた）ダイシリンダとアンビルシリンダとの間の空隙（Ｇ）が減少して、ダイカッターのアンビルシリンダ上に取り付けるアンビルカバーの厚さよりも小さくなることができる。
【００４７】
６０４において、アンビルカバーの第１の端部を、ダイカッターのアンビルシリンダ上のロックチャネルに固定することができる。例えば、アンビルカバーの雌ロック端部をロックチャネルの溝内に押し込むことができる。ある実施形態では、任意に雌ロック端部をアンビルシリンダ上に固定し又は固定的に取り付けることができる。
【００４８】
６０６において、アンビルシリンダ及び／又はダイシリンダを、自動（例えば、ギアボックスを通じて１又は２以上のモータによって駆動）又は手動で回転させることができる。スリーブを有するダイシリンダとアンビルシリンダとが回転している間、アンビルカバーは、ダイシリンダ上に取り付けられた回転するスリーブによって押されてアンビルシリンダに巻き付く一方で、アンビルカバーの固定されていない雄ロック端部は、雌ロック端部に接触するまでダイシリンダとアンビルシリンダとの間のニップ部に従うことができる。雄ロック端部が２つのシリンダ間の隙間を通過する余裕が十分でなく、又は全く存在しないので、６０８において、雄ロック端部はロックチャネル内に押し込まれて、回転するスリーブから生じる力によって雌ロック端部にロックされる。
【００４９】
ある実施形態では、スリーブの幅が、アンビルカバーの幅と実質的に同じか、又はこれよりも大きい。従って、ダイシリンダ上の１つのスリーブを用いて１又は２以上のアンビルカバーを取り付けることができる。
【００５０】
１又は２以上のアンビルカバーは、アンビルシリンダ上に取り付けられると、アンビルシリンダの表面を完全に覆うことができる。アンビルカバーを取り付けたら、６１０において、ダイシリンダ上のスリーブを取り外して、ダイカットのための切断要素がダイシリンダ上に取り付けられるようにすることができる。
【００５１】
ダイカッターのダイシリンダ上に取り付け可能なスリーブの文脈で実施形態を開示したが、実施形態は、あらゆる好適なプラットホーム上に取り付け可能なあらゆる好適なセグメントを含むことができる。例えば、実施形態は、本明細書において上述したような図４Ａ〜図４Ｅ又は図５Ａ〜図５Ｃに示すように構成されたアンビルカバーのセグメントを含むことができ、円筒形プラットホームは、ダイカッターのアンビルシリンダとすることができる。このように構成されたアンビルカバーは、アンビルシリンダ上にアンビルカバーをロックする必要性を排除し、従ってアンビルカバーの取り付けを容易にすることができる。
【００５２】
さらに、断面が円形のシリンダを含む円筒形プラットホームの文脈で本開示の実施形態を開示したが、円筒形プラットホームは、他の好適なカーシブシリンダ（ｃｕｒｓｉｖｅ  ｃｙｌｉｎｄｅｒｓ）を含むこともできる。１つの実施形態では、円筒形プラットホームが、断面が実質的に円形のカーシブシリンダを含むことができる。別の実施形態では、円筒形プラットホームが、断面が楕円形の楕円シリンダを含むことができる。従って、スリーブは、図４Ａ〜図４Ｅ及び図５Ａ〜図５Ｃで説明したセグメントと同様に、円筒形プラットホームに一致する中空コアを含むことができる。
【００５３】
本明細書で使用する「例」又は「例示的な」という単語は、例、事例又は例示としての役割を果たすことを意味する。本明細書において「例」又は「例示的なもの」として説明するあらゆる態様又は設計は、必ずしも他の態様又は設計よりも好ましいもの又は有利なものとして解釈すべきではない。むしろ、「例」又は「例示的な」という単語の使用は、本概念を具体的に示すことを意図するものである。本出願で使用する「又は（ｏｒ）」という用語は、排他的「ｏｒ」ではなく包含的「ｏｒ」を意味するように意図される。すなわち、別途明示していない限り、又は文脈から明らかでない限り、「ＸはＡ又はＢを含む」という表現は、自然な包含的置換のいずれかを意味するように意図される。すなわち、ＸがＡを含む場合、ＸがＢを含む場合、或いはＸがＡとＢの両方を含む場合、「ＸはＡ又はＢを含む」は、これらの事例のいずれによっても満たされる。また、本明細書及び添付の特許請求の範囲で使用する「ａ」及び「ａｎ」という冠詞は、単数形を対象にしていることを別途明示していない限り、又は文脈から明らかでない限り、一般に「１又は２以上」を意味すると解釈すべきである。さらに、全体を通じて、「ある実施形態」又は「１つの実施形態」或いは「ある実装」又は「１つの実装」という用語は、同じ実施形態又は実装を意味するものとして説明していない限り、そのように意図するものではない。
【００５４】
本明細書全体を通じて、「ある実施形態」又は「１つの実施形態」という言及は、その実施形態に関連して説明した特定の特徴、構造又は特性が、少なくとも１つの実施形態に含まれることを意味する。従って、本明細書全体を通じて様々な箇所に出現する「ある実施形態では」又は「１つの実施形態では」という表現は、必ずしも全てが同じ実施形態を示すものであるとは限らない。また、「又は（ｏｒ）」という用語は、排他的「ｏｒ」ではなく包含的「ｏｒ」を意味するように意図される。
【００５５】
上記の説明は、例示的なものであって限定的なものではないと理解されたい。当業者には、上記の説明を読んで理解した時点で他の多くの実装が明らかになるであろう。従って、本開示の範囲は、添付の特許請求の範囲、並びにこのような特許請求の範囲が権利を有する同等物の全範囲を参照して決定されるべきである。
【図１】
0006640234.tif 000002
【図２】
0006640234.tif 000003
【図３Ａ】
0006640234.tif 000004
【図３Ｂ】
0006640234.tif 000005
【図３Ｃ】
0006640234.tif 000006
【図３Ｄ】
0006640234.tif 000007
【図３Ｅ】
0006640234.tif 000008
【図３Ｆ】
0006640234.tif 000009
【図４Ａ】
0006640234.tif 000010
【図４Ｂ】
0006640234.tif 000011
【図４Ｃ】
0006640234.tif 000012
【図４Ｄ】
0006640234.tif 000013
【図４Ｅ】
0006640234.tif 000014
【図５Ａ】
0006640234.tif 000015
【図５Ｂ】
0006640234.tif 000016
【図５Ｃ】
0006640234.tif 000017
【図６】
0006640234.tif 000018